(57)【特許請求の範囲】
【請求項１】
上端が吐出口として開口した水路を有するノズル本体の、該吐出口内略中央に絞り口部を設けて、該絞り口部の周囲の同吐出口を直射口部として開口形成し、同ノズル本体の水路内に流水圧力の変化によって昇降される弁体を上下スライド自在に設け、該弁体によって前記絞り口部は開口状態のままで直射口部のみが開閉されるようになした衛生洗浄装置用ノズル。
【請求項２】
弁体を下方へと弾発付勢するバネ材を設けて、該弁体が流水圧力の変化に対応して上下スライド昇降されるようになしたことを特徴とする請求項１記載の衛生洗浄装置用ノズル。
【発明の詳細な説明】
【０００１】
【発明の属する技術分野】
本発明は、人体の局部を洗浄する衛生洗浄装置に採用される衛生洗浄装置用ノズルに関するものである。
【０００２】
【従来の技術】
従来から、図４に示す如く、上端が吐出口１として開口した水路２を有するノズル本体３の、該水路２内に湯水を供給して同吐出口１から上方へ噴出させ、該噴出される湯水によって人体の局部を洗浄することができる衛生洗浄装置用ノズルＢは知られている。該衛生洗浄装置用ノズルＢは、便器に装着される衛生洗浄装置から該便器内へと進退自在に突設されるノズル取付用パイプの先端に連通取着されるもので、その際、ノズル本体３に突設される接続筒部１６が同ノズル取付用パイプの先端に挿入嵌合される。
【０００３】
又、ノズル本体３内の水路２は上下方向で上方に吐出口１として開口し、下方において前記接続筒部１６を介しノズル取付用パイプと連通するもので、同水路２にはその両側に分岐経路２１が連通配設されている。それ故に、ノズル取付用パイプから接続筒部１６を通して水路２内へと湯水が供給されると、吐出口１から同湯水は任意に両側へ首を振るように振動しながら噴出される。したがって、この場合、吐出口１から振動しながら噴出される湯水によって人体の局部を洗浄することができ、その際、同振動される範囲を湯水の噴出範囲（洗浄面積）として洗浄が行われる。
【０００４】
【発明が解決しようとする課題】
しかしながら、上記従来の技術においては、吐出口１から噴出される湯水が両側へ振動するものの、その振動による噴出範囲（洗浄面積）は変化することがなく一定で、又、同湯水の水粒径も殆ど変化することがない。したがって、人体の局部に付着している便或いは汚物等を洗浄除去する際、洗浄面積が限られ、しかも、湯水の噴出形態も変化しないため、十分な洗浄が行われず、特に、局部の皺の中にまで入り込んでいる便或いは汚物等を完全には洗浄除去することができないという問題があった。
【０００５】
本発明は、上記従来の技術における問題を悉く解決するために発明されたもので、その課題は、流水圧力により噴出範囲や噴出形態が変化されて十分な洗浄作用を得ることができる衛生洗浄装置用ノズルを提供することである。
【０００６】
【課題を解決するための手段】
本発明の請求項１記載の衛生洗浄装置用ノズルは、上端が吐出口として開口した水路を有するノズル本体の、該吐出口内略中央に絞り口部を設けて、該絞り口部の周囲の同吐出口を直射口部として開口形成し、同ノズル本体の水路内に流水圧力の変化によって昇降される弁体を上下スライド自在に設け、該弁体によって前記絞り口部は開口状態のままで直射口部のみが開閉されるようになしたものである。
【０００７】
したがって、この場合、ノズル本体の水路内を流れる湯水が、該水路の上端で開口する吐出口の略中央の絞り口部からは、該絞り口部で絞られた後に拡散してミスト状に広範囲で噴出されようとし、これを包囲するように同絞り口部の周囲の直射口部からは、直射状に噴出されようとする。又、水路内を流れる湯水の流水圧力が強くなると、該水路内に上下スライド自在に設けられた弁体が上昇して前記直射口部は閉じられ、逆に、同流水圧力が弱くなると、該弁体が下降して前記直射口部は開けられ、その際、前記絞り口部は開口状態のままである。
【０００８】
すなわち、ノズル本体の水路内へ供給される湯水の水量や水圧が変化することによって、該水路内を流れる湯水の流水圧力も変化し、これによって、直射口部のみが弁体により開閉される。この場合、流水圧力が弱くて直射口部が開けられると、吐水口の絞り口部からミスト状に広範囲で噴出されようとする湯水が、これを包囲するように同直射口部から直射状に噴出される湯水に抑制され、全体としては同吐水口から湯水が直射状に噴出されることになる。逆に、流水圧力が強くて直射口部が閉じられると、吐水口の絞り口部からのみ湯水がミスト状に広範囲で噴出されることになる。それ故に、流水圧力により噴出範囲や噴出形態が変化されて十分な洗浄作用を得ることができる。
【０００９】
本発明の請求項２記載の衛生洗浄装置用ノズルは、上記請求項１記載の衛生洗浄装置用ノズルにおいて、弁体を下方へと弾発付勢するバネ材を設けて、該弁体が流水圧力の変化に対応して上下スライド昇降されるようになしたことを特徴とする。
【００１０】
したがって、この場合は特に、バネ材による弾発力を受けた状態で、弁体が流水圧力の変化に対応して上下スライド昇降されるので、直射口部が完全に開或いは閉とならない中程の状態で、該直射口部から直射状に噴出される湯水と絞り口部からミスト状に広範囲で噴出されようとする湯水とが適度に抑制し合って、噴出範囲や噴出形態がアナルグ的に変化され、洗浄作用に微妙な可変性を付与することができる。又、バネ材の弾性係数を調整することで、水路内へ供給される湯水が多量、高圧となる際にも、適切に対応することが可能となる。
【００１３】
【発明の実施の形態】
図１、２は、本発明の請求項１、２全てに対応する一実施形態を示し、該実施形態の衛生洗浄装置用ノズルＡは、上端が吐出口１として開口した水路２を有するノズル本体３の、該吐出口１内略中央に絞り口部４を設けて、該絞り口部４の周囲の同吐出口１を直射口部５として開口形成し、同ノズル本体３の水路２内に流水圧力の変化によって昇降される弁体６を上下スライド自在に設け、該弁体６によって前記絞り口部４は開口状態のままで直射口部５のみが開閉されるようになしたものである。
【００１４】
該実施形態の衛生洗浄装置用ノズルＡにおいては、弁体６を下方へと弾発付勢するバネ材７を設けて、該弁体６が流水圧力の変化に対応して上下スライド昇降されるようになしている。更に、流水をその水粒径を小さくしてミスト状にするベーン構造として弁体６を形成してもいる。
【００１５】
又、該実施形態の衛生洗浄装置用ノズルＡは、図３に示す如く、便器８に装着される衛生洗浄装置９に採用されている。該衛生洗浄装置９は、洗浄水を加熱して温水としたり温風を吹き出したりするための器具等を収容したケーシング本体１０と、温水となった洗浄水を局部に対して噴出する前記衛生洗浄装置用ノズルＡと、これ等の操作を行う操作パネル１１と、該操作パネル１１での操作に基づいて温水の吐水及び衛生洗浄装置用ノズルＡの位置を動作制御する制御装置１２と、を備えている。
【００１６】
この場合、ケーシング本体１０には、便座１３及び便蓋１４も開閉回動自在に取り付けられており、該便座１３はヒータが内蔵された暖房便座であって、同便座１３の温度調節も前記操作パネル１１にて行われる。又、衛生洗浄装置９には便器８内へとノズル取付用パイプ１５が進退自在に突設されており、該ノズル取付用パイプ１５の進退動作も前記操作パネル１１にて行われ、これによって、衛生洗浄装置用ノズルＡの位置が動作制御される。該衛生洗浄装置用ノズルＡは同ノズル取付用パイプ１５の先端に連通取着されるもので、その際、ノズル本体３に突設される接続筒部１６が同ノズル取付用パイプ１５の先端に挿入嵌合される。
【００１７】
ノズル本体３内の水路２は上下方向で上方に吐出口１として開口し、下方において前記接続筒部１６を介しノズル取付用パイプ１５と連通する。水路２内には弁体６が上下スライド自在に収容保持されており、該弁体６は、その外周部位を形成するスライド部１７と、該スライド部１７の内側に組み込まれるベーン構造となったベーン部１８と、でなる。
【００１８】
この場合、弁体６のスライド部１７の外周には全周にわたるリング状のパッキン材１９が付設されており、該パッキン材１９が水路２の内周面に摺接しながら、該摺接部位での水密性を保持した状態で同弁体６はスムーズに上下スライド昇降される。その際、バネ材７の弾性係数と、水路２内へ供給される湯水の任意に設定された水量や水圧と、の両者の兼ね合いによって、弁体６は上下スライド昇降される。又、湯水が弁体６のベーン部１８を通過することによってその水粒径は小さくなり、ミスト状となって上方へ流水される。
【００１９】
ノズル本体３の吐水口１は略円形状で、その内側略中央に上部が縮小し下部がラッパ状に拡開した略円筒体でなる絞り口部４が設けられており、該絞り口部４となる略円筒状体の外周面と同吐水口１の内周面との間が直射口部５として開口形成されている。絞り口部４及び直射口部５の下端開口はいずれも水路２と連通しているが、直射口部５の下端開口のみが前記弁体６によって開閉される。この場合、弁体６のスライド部１７の上端には略円形状のパッキン部２０が設けられており、該パッキン部２０が絞り口部４となる略円筒状体の下端縁に当接することによって、直射口部５の下端開口が同スライド部１７の上端によって密閉される。
【００２０】
したがって、該実施形態の衛生洗浄装置用ノズルＡにおいては、ノズル本体３の水路２内を上方へと流れる湯水が、該水路２の上端で開口する吐出口１の略中央の絞り口部４からは、該絞り口部４で絞られた後に拡散してミスト状に広範囲で噴出されようとし、これを包囲するように同絞り口部４の周囲の直射口部５からは、直射状に噴出されようとする。又、同上方へと流れる湯水の流水圧力が強くなると、水路２内に上下スライド自在に設けられた弁体６が上昇して前記直射口部５は閉じられ、逆に、同流水圧力が弱くなると、該弁体６が下降して前記直射口部５は開けられ、その際、前記絞り口部４は開口状態のままである。
【００２１】
すなわち、ノズル本体３の水路２内へ供給される湯水の水量や水圧が変化することによって、該水路２内を流れる湯水の流水圧力も変化し、これによって、直射口部５のみが弁体６により開閉される。この場合、図１に示す如く、流水圧力が弱くて直射口部５が開けられると、吐水口１の絞り口部４からミスト状に広範囲で噴出されようとする湯水が、これを包囲するように同直射口部５から直射状に噴出される湯水に抑制され、全体としては同吐水口１から湯水が直射状に噴出されることになる。逆に、図２に示す如く、流水圧力が強くて直射口部５が閉じられると、吐水口１の絞り口部４からのみ湯水がミスト状に広範囲で噴出されることになる。
【００２２】
それ故に、流水圧力により噴出範囲や噴出形態が変化されて十分な洗浄作用を得ることができ、ノズル本体３の水路２内に湯水を供給して吐出口１から上方へ噴出させ、該噴出される湯水によって人体の局部を効果的に洗浄することができる。この場合、ノズル本体３の水路２内へ供給される湯水の水量或いは水圧を操作調整することにより、該水路２内を流れる湯水の流水圧力が変化されるようになすことで、所望の噴出範囲や噴出形態を同操作調整によって容易に得ることができるようになる。又、ノズル本体３の水路２内へ供給される湯水の水量或いは水圧の自らの変化に対応して、該水路２内を流れる湯水の流水圧力が自ら変化するようになすことで、噴出範囲や噴出形態が自動的に変化されるようになる。
【００２３】
又、該実施形態の衛生洗浄装置用ノズルＡにおいては、特に、バネ材７による弾発力を受けた状態で、弁体６が流水圧力の変化に対応して上下スライド昇降されるので、直射口部５が完全に開或いは閉とならない中程の状態で、該直射口部５から直射状に噴出される湯水と絞り口部４からミスト状に広範囲で噴出されようとする湯水とが適度に抑制し合って、噴出範囲や噴出形態がアナルグ的に変化され、洗浄作用に微妙な可変性を付与することができる。しかも、同バネ材７の弾性係数を調整することで、水路２内へ供給される湯水が多量、高圧となる際にも、適切に対応することが可能となっている。
【００２４】
更に、ノズル本体３の水路２内へ供給される湯水の水量或いは水圧が所定以下となることで、図１に示した状態となり、逆に、同水量或いは水圧が所定以上となることで、図２に示した状態となるように、バネ材７の弾性係数を設定しておくことが有効となる。又、該実施形態の衛生洗浄装置用ノズルＡにおいては、水路２内を流れる湯水の水粒径が弁体６のベーン部１８によって小さくされ、該弁体６の部位で予めミスト状の噴流が生成されるので、吐水口１の絞り口部４からは確実にミスト状となった湯水がより広範囲で噴出されるようにもなっている。
【００２５】
【発明の効果】
上述の如く、本発明の請求項１記載の衛生洗浄装置用ノズルにおいては、ノズル本体の水路内へ供給される湯水の水量や水圧によって該水路内を流れる湯水の流水圧力が変化され、これによって、吐出口から噴出される湯水の噴出範囲や噴出形態も変化されて十分な洗浄作用を得ることができる。
【００２６】
又、本発明の請求項２記載の衛生洗浄装置用ノズルにおいては、特に、吐出口からの湯水の噴出範囲や噴出形態がアナルグ的に変化されて、洗浄作用に微妙な可変性を付与することができ、しかも、水路内へ供給される湯水が多量、高圧となる際にも、適切に対応することが可能となる。
【図面の簡単な説明】
【図１】本発明の一実施形態である衛生洗浄装置用ノズルＡを示す断面図。
【図２】同衛生洗浄装置用ノズルＡの異なる状態における断面図。
【図３】同衛生洗浄装置用ノズルＡを備えた衛生洗浄装置の設置状態を示す斜視図。
【図４】従来例である衛生洗浄装置用ノズルＢを示す断面図。
【符号の説明】
１  吐出口
２  水路
３  ノズル本体
４  絞り口部
５  直射口部
６  弁体
７  バネ材
【図１】
0003633267.tif 000002
【図２】
0003633267.tif 000003
【図３】
0003633267.tif 000004
【図４】
0003633267.tif 000005